(57)【要約】【課題】表示部の限りある画面面積を有効活用することができる電子機器およびプログラムを提供する。【解決手段】画像情報を表示する表示部と、置数入力に用いる置数キーと、販売対象となる商品を登録する販売登録処理を実行する販売登録手段と、前記販売登録処理に際して、前記表示部に表示する当該販売登録処理の実行用の表示画面を前記画像情報として生成する表示制御手段と、を備え、前記表示制御手段は、前記販売登録処理に際して前記置数キーによる置数入力があった場合に、前記表示画面上における表示内容が予め決められた領域を、前記置数キーによって入力された数を表示する置数表示領域に変更する。【選択図】図７
2015152970.tif 000002
【特許請求の範囲】
【請求項１】
画像情報を表示する表示部と、
置数入力に用いる置数キーと、
販売対象となる商品を登録する販売登録処理を実行する販売登録手段と、
前記販売登録処理に際して、前記表示部に表示する当該販売登録処理の実行用の表示画面を前記画像情報として生成する表示制御手段と、
を備え、
前記表示制御手段は、前記販売登録処理に際して前記置数キーによる置数入力があった場合に、前記表示画面上における表示内容が予め決められた領域を、前記置数キーによって入力された数を表示する置数表示領域に変更する、
ことを特徴とする電子機器。
【請求項２】
前記表示制御手段は、前記表示画面上における日時情報を表示している領域を、前記置数キーによって入力された数を表示する置数表示領域に変更する、
ことを特徴とする請求項１記載の電子機器。
【請求項３】
前記表示制御手段は、前記表示画面上におけるキーの割付け領域においてキーが割付けられていない領域を、前記置数キーによって入力された数を表示する置数表示領域に変更する、
ことを特徴とする請求項１記載の電子機器。
【請求項４】
前記表示制御手段は、前記置数表示領域の背景色を変更前の領域における背景色とは異ならせる、
ことを特徴とする請求項１ないし３の何れか一記載の電子機器。
【請求項５】
前記表示制御手段は、前記置数表示領域の文字色を変更前の領域における文字色とは異ならせる、
ことを特徴とする請求項１ないし３の何れか一記載の電子機器。
【請求項６】
画像情報を表示する表示部と、置数入力に用いる置数キーと、を備える電子機器を制御するコンピュータを、
販売対象となる商品を登録する販売登録処理を実行する販売登録手段と、
前記販売登録処理に際して、前記表示部に表示する当該販売登録処理の実行用の表示画面を前記画像情報として生成する表示制御手段と、
として機能させ、
前記表示制御手段は、前記販売登録処理に際して前記置数キーによる置数入力があった場合に、前記表示画面上における表示内容が予め決められた領域を、前記置数キーによって入力された数を表示する置数表示領域に変更する、
プログラム。
【発明の詳細な説明】
【技術分野】
【０００１】
本発明の実施形態は、電子機器およびプログラムに関する。
【背景技術】
【０００２】
従来、電子機器として、ある物品を計量した場合にその計量値に基づいて計量した物品の金額を算出するようにした電子秤装置がある。
【０００３】
このような電子秤装置は、本体ハウジングの前面（オペレータ側）に設けられた表示部と背面（客側）に設けられた表示部とに情報をそれぞれ表示することができる。そのため、電子秤装置は、例えば、ショーケースを介して惣菜等を秤売りするような運用を行っている店舗において、ショーケースの上に載置されて使用される。
【０００４】
ところで、このようにショーケースの上に載置されて使用される電子秤装置においては、ショーケース上の有効活用を図るため、省スペース化・小型化が図られている。
【０００５】
しかしながら、省スペース化・小型化が図られた電子秤装置においては、表示部の表示領域の面積も制限されてしまうため、表示内容を確認しにくいという問題がある。また、電子秤装置においては、計量法により金額や重量、数量、点数などの文字サイズに一定以上の大きさが要求されるため、更に表示領域が制限されることになる。
【発明の概要】
【発明が解決しようとする課題】
【０００６】
本発明が解決しようとする課題は、表示部の限りある画面面積を有効活用することができる電子機器およびプログラムを提供することである。
【課題を解決するための手段】
【０００７】
実施形態の電子機器は、画像情報を表示する表示部と、置数入力に用いる置数キーと、販売対象となる商品を登録する販売登録処理を実行する販売登録手段と、前記販売登録処理に際して、前記表示部に表示する当該販売登録処理の実行用の表示画面を前記画像情報として生成する表示制御手段と、を備え、前記表示制御手段は、前記販売登録処理に際して前記置数キーによる置数入力があった場合に、前記表示画面上における表示内容が予め決められた領域を、前記置数キーによって入力された数を表示する置数表示領域に変更する。
【図面の簡単な説明】
【０００８】
【図１】図１は、実施形態にかかる電子秤装置をオペレータ側から示す外観斜視図である。
【図２】図２は、電子秤装置に内蔵される各部の電気的接続を示すブロック図である。
【図３】図３は、ＰＬＵファイルの内容を概念的に示す模式図である。
【図４】図４は、電子秤装置における販売登録処理にかかる機能ブロック図である。
【図５】図５は、販売登録処理の流れを示すフローチャートである。
【図６】図６は、計量用の表示画面の一例を示す正面図である。
【図７】図７は、計量用の表示画面の一例を示す正面図である。
【発明を実施するための形態】
【０００９】
以下、添付図面を参照して、電子機器およびプログラムの実施形態を詳細に説明する。なお、以下に説明する実施形態は、電子機器およびプログラムの一実施形態であって、その構成や仕様等を限定するものではない。本実施形態は、スーパーマーケット等の店舗に導入され、商品の計量に応じた登録などを行う電子秤装置を電子機器として適用した例である。
【００１０】
ここで、図１は実施形態にかかる電子秤装置１をオペレータ側から示す外観斜視図である。図１に示すように、この電子秤装置１は、扁平筐体状のハウジング２の上面全体に重量が測定される商品が載置される載置面である秤皿３を有し、オペレータ側の正面左側に座標入力部であるタッチパネル４を備えたディスプレイ５（タッチパネル付き表示部）を有している。
【００１１】
ディスプレイ５は、薄型のＬＣＤ（Liquid  Crystal  Display）や有機ＥＬ（Electro-Luminescence）を表示部５ａとして構成されている。また、ディスプレイ５には、商品コードや金額等を入力するための「０」から「９」までの置数キー６ａや後述する印刷装置３０からのラベル発行を指示するためのラベル発行キー６ｂなどが配設されたキーボード６も設けられている。なお、ハウジング２の内部であって秤皿３の下方位置には、商品の重量を計量して計量値データを出力する計量部として機能するロードセルユニット１６（図２参照）が設けられている。
【００１２】
一方、電子秤装置１には、図１に示すように、オペレータ側と同様に客側にもタッチパネル８を備えたディスプレイ９（タッチパネル付き表示部）が設けられている。ディスプレイ９も、薄型のＬＣＤや有機ＥＬを表示部９ａとして構成されている。したがって、計量部として機能するロードセルユニット１６を挟んだ装置両側にタッチパネル４を備えたディスプレイ５と、タッチパネル８を備えたディスプレイ９が設けられていることになる。
【００１３】
また、ディスプレイ５およびディスプレイ９は、ハウジング２に対して上端部を軸として上下方向に傾け可能（チルト可能）に設けられている。
【００１４】
加えて、電子秤装置１は、印刷装置３０を側方に備えている。印刷装置３０は、図１に示すように、電子秤装置１の左右のいずれか一側面に備えられる。印刷装置３０は、ラベルを発行するための発行口３０ａをハウジング３０ｂの正面に有する。
【００１５】
次に、電子秤装置１に内蔵される各部の電気的接続について図２を参照して説明する。図２に示すように、電子秤装置１には、各種演算処理等を実行して各部を集中的に制御するＣＰＵ（Central  Processing  Unit）１０が設けられている。このＣＰＵ１０には、固定データを格納するFlashＲＯＭ（Read  Only  Memory）１１と、可変データを書換え自在に格納してワークエリア等として利用されるＲＡＭ（Random  Access  Memory）１２とがシステムバス１３を介して接続されている。FlashＲＯＭ１１には、制御プログラム、所定のラベルフォーマットや後述する各種のファイルが格納されている。
【００１６】
なお、電子秤装置１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００１７】
また、電子秤装置１で実行される制御プログラムを、インターネット等のネットワークに接続されたコンピュータ上に格納し、ネットワーク経由でダウンロードさせることにより提供するように構成しても良い。また、電子秤装置１で実行される制御プログラムをインターネット等のネットワーク経由で提供または配布するように構成しても良い。
【００１８】
また、ＣＰＵ１０には、システムバス１３を介してＩ／Ｏポート１４が接続され、このＩ／Ｏポート１４にはＡ／Ｄ変換部１５を介してロードセルユニット１６が接続されている。このロードセルユニット１６は、ロードセル等によって構成され、秤皿３に載置された商品の重量を計量して計量値データを出力する構造のものである。このようなロードセルユニット１６からの出力はアナログ出力であり、このアナログ出力はＡ／Ｄ変換部１５でデジタルデータに変換されてＩ／Ｏポート１４に入力される。そこで、ＣＰＵ１０は、Ｉ／Ｏポート１４に入力されたロードセルユニット１６からの出力データに基づいて、FlashＲＯＭ１１に格納された制御プログラムやファイル等を参照し、ＲＡＭ１２をワークエリアとして使用して、秤皿３に載置された商品の重量を演算によって求めることができる。
【００１９】
加えて、ＣＰＵ１０には、キーボード６を駆動制御するためのキーボードコントローラ１８、ディスプレイ５を駆動制御するディスプレイコントローラ１９、ディスプレイ９を駆動制御するディスプレイコントローラ２０、タッチパネル４を駆動制御するタッチパネルコントローラ２１、及び、タッチパネル８を駆動制御するタッチパネルコントローラ２２もシステムバス１３を介して接続されている。
【００２０】
また、ＣＰＵ１０には、レシートプリンタである印刷装置３０を駆動制御するためのプリンタコントローラ３２もシステムバス１３を介して接続されている。
【００２１】
ＣＰＵ１０は、ＲＡＭ１２として設けられた画像メモリを利用しつつ、FlashＲＯＭ１１に記憶されていたり画像メモリで合成されたりする画像情報に基づいてディスプレイコントローラ１９，２０を駆動制御する。これにより、ディスプレイ５，９がマトリクス状に備える多数個の液晶シャッタが選択的に開閉駆動され、ディスプレイ５，９に画像情報に基づく画像が表示出力されることになる。
【００２２】
さらに、ＣＰＵ１０は、タッチパネルコントローラ２１，２２を駆動制御し、操作者によりタッチされたタッチパネル４，８上のＸＹ座標の位置を認識して座標データを取得する。これにより、ディスプレイ５，９に表示されるボタン等とタッチパネル４，８の座標との位置関係の同期をとることによって、タッチパネル４とディスプレイ５との組合せ、及び、タッチパネル８とディスプレイ９との組合せは、キーボード６と同様の機能を奏することになる。
【００２３】
次に、FlashＲＯＭ１１に格納されている各種のファイルについて説明する。図３はＰＬＵ（Price  Look  Up）ファイルの内容を概念的に示す模式図である。FlashＲＯＭ１１は、記憶部として機能して各種のファイルを書換え自在かつ記憶保持可能な状態で格納する。このようなFlashＲＯＭ１１に格納されるファイルの一部として、本実施の形態では、ＰＬＵファイル１１０を備える。
【００２４】
図３に示すＰＬＵファイル１１０は、概念的には、商品の品番１１１毎に、商品コード１１２、品名１１３、単価１１４、オペレータ側のディスプレイ５の表示部５ａに表示されるＰＬＵキー（図６参照）の位置決めのためのキーナンバー１１５、及び、客側のディスプレイ９に表示されるＰＬＵキー（図示せず）の位置決めのためのキーナンバー１１６、付加情報１１７などの各種の情報を対応付けて格納するファイルである。付加情報１１７としては、例えば、加工日時や消費期限、産地、原材料名等が挙げられる。
【００２５】
つまり、ＰＬＵファイル１１０は、少なくとも、商品を特定するための商品特定データとして機能する品番１１１とその商品の単位重量当たりの単価１１４とを対応付けて記憶するファイル構造を備えている。ここで、本実施形態では、単位重量は、例えば１００グラムが採用されている。
【００２６】
次いで、FlashＲＯＭ１１に記憶された制御プログラムに従いＣＰＵ１０が実行する処理について説明する。なお、本実施の形態においては、従来の電子秤装置によって行なわれる処理と同様の処理についてはその説明を省略する。ここでは、販売登録処理（ラベル印字処理）について説明する。
【００２７】
ここで、図４は電子秤装置１における販売登録処理にかかる機能ブロック図である。図４に示すように、電子秤装置１で実行される制御プログラムは、販売登録手段１０２と、表示制御手段１０３とを含むモジュール構成となっている。ＣＰＵ１０は、FlashＲＯＭ１１から制御プログラムを読み出して、上記各部をＲＡＭ１２にロードする。これにより、販売登録手段１０２と、表示制御手段１０３とがＲＡＭ１２上に生成される。
【００２８】
販売登録手段１０２は、販売対象となる商品を登録する販売登録処理を実行する。
【００２９】
表示制御手段１０３は、販売登録処理に際して、ディスプレイ５の表示部５ａに表示する当該販売登録処理の実行用の表示画面を画像情報として生成するものであって、販売登録処理に際してキーボード６の置数キー６ａによる置数入力があった場合に、表示画面上における表示内容が予め決められた領域を、置数キー６ａによって入力された数を表示する置数表示領域に変更する。
【００３０】
例えば、表示制御手段１０３は、表示画面上における日時情報を表示している領域を、キーボード６の置数キー６ａによって入力された数を表示する置数表示領域に変更する。また、別の例としては、表示制御手段１０３は、表示画面上におけるキーの割付け領域においてキーが割付けられていない領域を、キーボード６の置数キー６ａによって入力された数を表示する置数表示領域に変更する。
【００３１】
次に、電子秤装置１のＣＰＵ１０（販売登録手段１０２）による販売登録処理の流れを図５に示すフローチャートを参照して説明する。
【００３２】
まず、ＣＰＵ１０（表示制御手段１０３）は、計量用の表示画面（図６参照）をディスプレイ５の表示部５ａに表示させ、商品の品番の指定を待つ（ステップＳ１）。
【００３３】
ここで、図６は計量用の表示画面の一例を示す正面図である。図６に示すように、オペレータ側のディスプレイ５の表示部５ａに表示される画面には、販売登録処理時にＰＬＵ（Price  Look  Up）を指定するためのＰＬＵキーを備えるＰＬＵキー領域Ａや値引や割引などの宣言に用いる後処理キーを備える後処理キー領域Ｂ等が表示されており、タッチパネル４を介すことによりそれぞれがキーボードのキーと同様の機能を有するタッチキーＫ１として機能する。なお、ＰＬＵキーは、ＰＬＵファイル１１０のＰＬＵキーの位置決めのためのキーナンバー１１５に基づいて決定され、対応するＰＬＵファイル１１０の品名１１３が表示されている。
【００３４】
また、図６に示すように、オペレータ側のディスプレイ５の表示部５ａに表示される画面には、ＰＬＵキーの操作によって決定された計量商品の品番、商品名、単価などの商品情報を表示する商品情報表示領域Ｃが表示されている。さらに、図６に示すように、オペレータ側のディスプレイ５の表示部５ａに表示される画面には、ロードセルユニット１６から出力される計量値および当該計量値に基づいて算出される販売価格を表示する販売情報表示領域Ｄが表示されている。
【００３５】
さらに、図６に示すように、オペレータ側のディスプレイ５の表示部５ａに表示される画面には、現在の日時を表示する日時表示領域Ｅも表示されている。
【００３６】
ＣＰＵ１０は、キーボード６やディスプレイ５の表示部５ａの何れかのＰＬＵキーの操作によって品番が指定されたと判断した場合（ステップＳ１のＹｅｓ）、その商品の品名１１３や単価１１４などの情報や付加情報１１７（加工日時、消費期限、産地、原材料名等）をＰＬＵファイル１１０から読み出すとともに、所定のラベルフォーマットをFlashＲＯＭ１１から読み出して、それらの商品情報およびラベルフォーマットをＲＡＭ１２に記憶させる（ステップＳ２）。このようにして品番を指定した後、オペレータは、秤皿３に商品を載置する。
【００３７】
そして、ＣＰＵ１０は、ロードセルユニット１６から出力される計量値が安定した場合（ステップＳ３のＹｅｓ）、その計量商品の重量および価格を算出し（ステップＳ４）、表示処理を行う（ステップＳ５）。ステップＳ５では、ＣＰＵ１０（表示制御手段１０３）は、ディスプレイ５の表示部５ａの計量用の表示画面に、計量商品の単価、重量および価格を表示させる（図７参照）。
【００３８】
加えて、ＣＰＵ１０は、計量商品の単価等の表示後において、キーボード６の置数キー６ａの操作（後入力）（ステップＳ６）、またはキーボード６のラベル発行キー６ｂの操作（ステップＳ７）に待機する。
【００３９】
ＣＰＵ１０（表示制御手段１０３）は、キーボード６の置数キー６ａの操作によって置数入力があったと判断した場合（ステップＳ６のＹｅｓ）、ディスプレイ５の表示部５ａに表示されている計量用の表示画面の日時表示領域Ｅを置数キー６ａによって入力された数を順に表示する置数表示領域Ｆ（図７参照）に変更する（ステップＳ８）。
【００４０】
ここで、図７は計量用の表示画面の一例を示す正面図である。図６においてオペレータ側のディスプレイ５の表示部５ａに表示される画面に表示されていた日時表示領域Ｅは、図７に示すように、置数表示領域Ｆに変更されている。置数表示領域Ｆには、キーボード６の置数キー６ａの操作によって入力された数が順に表示される。例えば、図７に示す例は、「５」の置数キー６ａの操作後に「０」の置数キー６ａが操作された例である。
【００４１】
なお、置数表示領域Ｆに変更する領域は、日時表示領域Ｅに限るものではない。例えば、置数表示領域Ｆに切り替える領域を予め選択して設定できるようにし、ＣＰＵ１０（表示制御手段１０３）は、予め設定された領域を置数表示領域Ｆとしても良い。
【００４２】
また、キーナンバー１１５においてＰＬＵキーが割付けされていない領域がＰＬＵキー領域Ａに存在することがＰＬＵファイル１１０に基づいて分かっている場合には、ＣＰＵ１０（表示制御手段１０３）は、当該ＰＬＵキーが割付けされていない領域を入力された数を順に表示する置数表示領域Ｆとして設定するようにしても良い。
【００４３】
さらに、ＣＰＵ１０（表示制御手段１０３）は、変更した置数表示領域Ｆにおいて、置数表示領域Ｆの背景色を変更前の領域の背景色とは異ならせるようにしても良い。また、ＣＰＵ１０（表示制御手段１０３）は、変更した置数表示領域Ｆにおいて、置数表示領域Ｆの文字色を変更前の領域の文字色とは異ならせるようにしても良い。このようにすることで、置数入力の際に置数表示領域Ｆに切り替わった領域の視認性が向上するので、オペレータは、置数入力されているということの明確なフィードバックを受けることができる。
【００４４】
このようなキーボード６の置数キー６ａの操作による置数入力があったか否かの判断は、確定キー（例えば、後処理キー領域Ｂの表示画面の値引キーや割引キーなど）の操作があるまで（ステップＳ９のＮｏ）、繰り返される。
【００４５】
確定キー（例えば、後処理キー領域Ｂの値引キーや割引キーなど）の操作があった場合には（ステップＳ９のＹｅｓ）、ＣＰＵ１０は、置数キー６ａの操作によって入力された置数および操作された確定キーに割付けられた種別（例えば、値引や割引など）に応じた後処理を実行する（ステップＳ１０）。
【００４６】
後処理の例としては、上述したように置数表示領域Ｆに「５０」が表示されている状態で（図７参照）、後処理キー領域Ｂの割引キーが操作された場合には、５０％値引き処理が実行される、という処理が挙げられる。
【００４７】
その後、ＣＰＵ１０（表示制御手段１０３）は、置数表示領域Ｆを元の内容に変更して（ステップＳ１１）、キーボード６のラベル発行キー６ｂの操作に待機する（ステップＳ７）。
【００４８】
そして、キーボード６のラベル発行キー６ｂが操作されると（ステップＳ７のＹｅｓ）、ＣＰＵ１０は、印字用データとして、印刷装置３０に対するラベル印字用データを作成する（ステップＳ１２）。
【００４９】
より詳細には、ＣＰＵ１０は、ステップＳ２で読み出してＲＡＭ１２に記憶させたラベルフォーマットにステップＳ２でＲＡＭ１２に記憶させた商品情報（品名１１３や単価１１４など）や付加情報１１７（加工日時、消費期限、産地、原材料名等）、その計量商品の重量および価格、確定キーに割付けられた種別（例えば、値引や割引など）と置数に応じた処理結果などを盛り込んでラベル印字用データを作成する。
【００５０】
次いで、ＣＰＵ１０は、ステップＳ７で作成したラベル印字用データに応じて印刷装置３０を制御してラベルを印字発行する（ステップＳ１３）。
【００５１】
このように、本実施形態の電子秤装置１によれば、販売登録処理に際してキーボード６の置数キー６ａによる置数入力があった場合に、ディスプレイ５の表示部５ａの計量用の表示画面上における表示内容が予め決められた所定の領域を、置数キー６ａによって入力された数を表示する置数表示領域Ｆに変更するようにした。これにより、例えば、通常は現在の日時を表示する日時表示領域Ｅを置数キー６ａが操作された場合にのみ置数を表示する置数表示領域Ｆに変更することで、ディスプレイ５の表示部５ａの限りある画面面積を有効活用することができる。
【００５２】
なお、本実施形態においては、スーパーマーケット等の店舗に導入され、商品の計量に応じた登録などを行う電子秤装置を電子機器として適用したが、これに限るものではない。例えば、スーパーマーケット等の店舗に導入されて販売登録処理を実行する商品販売データ処理装置であるＰＯＳ（Point  Of  Sales）端末などを電子機器として適用するようにしても良い。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１        電子機器
５ａ      表示部
６ａ      置数キー
１０２    販売登録手段
１０３    表示制御手段
Ｆ        置数表示領域
【先行技術文献】
【特許文献】
【００５５】
【特許文献１】特開２００２−２１４０２８号公報
【図１】
2015152970.tif 000003
【図２】
2015152970.tif 000004
【図３】
2015152970.tif 000005
【図４】
2015152970.tif 000006
【図５】
2015152970.tif 000007
【図６】
2015152970.tif 000008
【図７】
2015152970.tif 000009